(57)【要約】      （修正有）【課題】ゴルフ練習場では体験できない実地コースのあらゆる斜度を再現し、練習を可能とする全斜度自在ゴルフ打球練習器を提供する。【解決手段】充分に強度のある板、たとえばコンパネ（厚さ１０ｍｍ）を半分に切断し（９００ｍｍ）、その表面に毛足の長い人工芝を張る。この一端を１００ｍｍから２００ｍｍ程度、挙上させて、斜度のついた練習板を形成させる。なお、高さ１００ｍｍでは、角度、約７度、１５０ｍｍでは約１０度、２００ｍｍでは約１３度の傾斜が得られる。この上に、飛ばない柔らかなボールを置き、練習者は、板上の色々の場所から、打球の練習をする。人工芝の毛足を長くするのは、ボールが自然に転がり落ちるのを防ぐためで、練習板のサイズは、場所を要するところから、最小、９００ｍｍＸ９００ｍｍでもよい。【選択図】図１
0003174691.tif 000002
【実用新案登録請求の範囲】
【請求項１】
最低、９００ｍｍＸ９００ｍｍ，その上に人が乗っても、破損したり、撓んだりしない強度の板の上に、人工芝など柔らかく、しかもアイアンなどの接触の衝撃に耐えうるものを張り詰めたもの。
【請求項２】
上記練習板と、角度を形成する支持体とは一体化するか、角度を随時調節し得る装置であり、樹脂で一体化したものをも含む。なお、本考案の原理を、ゴルフ打球練習場に設置された場合も含む。
【考案の詳細な説明】
【技術分野】
【０００１】本発明は、ゴルフ練習場では体験できない実地コースのあらゆる斜度を再現し、練習を可能とする装置。
【背景技術】
【０００２】  従来の方法，装置；  ゴルフの練習場では、すべて平面が基本で、水平な位置にあるゴルフボールを打つ練習しかできなかった。しかし、実際、ゴルフ場では、第一打球以後、たとえフェアウエイをキープしても、練習場のような平坦な位置にくることは少なく、ほとんどは、前後左右いずれかの傾斜地から打たねばならない。このような状況で、アイアンをゴルフ場で練習することは実戦上、無駄になるか、むしろフォームが平面上のボールを打つ形に固定され、むしろ害になることすらある。
【先行技術文献】
【考案の概要】
【考案が解決しようとする課題】  そこで、実地ゴルフコースと同じような傾斜をもつ練習装置がもとめられている。【０００３】  本発明は、このような要請のもとに、傾斜をつけた人工芝被覆板上で、飛ばない柔らかなボール（例、市販スノーボールなど）を、任意の位置に置き、打球練習する装置。
【課題を解決するための手段】
【０００４】  横（９００−１０００）ｍｍｘ縦（９００−１０００）ｍｍ、厚さ約１０ｍｍの合板の上に毛足の長い人工芝をはりつける。そして、縦の一方に、１００−２００ｍｍの高さ、長さ、横幅と同じ木材、その他の枕をかませて挙上する。また、板裏の中央にも傾斜に準じた添え木を入れ、体重により板がしならないように補強する。（図１，２）
打球の練習は、練習者が、板上のボールの周囲を円形に移動することにより、行う。
【考案の効果】
【０００５】  本発明の辺縁部にボールを置き、練習者自身が板状を移動すれば、練習場では、不可能であった無限の斜度を再現できることが可能となった。すなわち、左足上がり、左足下がり、つま先下がり、つま先上がりをはじめとして、その中間の斜度から打つ練習を可能とする。（図３，４，５、６）
【考案を実施するための形態】
【０００６】  １）  使用するボールは、飛ばない、柔らかなものを用いる。
２）  本発明は、１００Ｋｇの体重に耐えるように設計されていること。
３）  いかなる位置に乗ろうと、練習板が、動いたり，そり返ったりしないこと。
４）  支持体と練習版は、一体化していることが望ましい。
【産業上の利用可能性】
【０００７】  本発明は、ゴルフ場で遭遇する実戦上のあらゆる斜度、傾斜にあるボールを打つ練習を可能とする。
練習の本質、実戦の基本を自宅にて学び、応用することが可能となる。ちなみに、利用者のひとりは、５８歳からゴルフを始めたが、一般的にははじめた年齢の半分しか、ハンデイが上達しないと云われている。しかし、本発明にてアイアンを練習し、たちまち、６０歳で１００を切り、６２歳で公式ハンデイ、１８、６３歳で、１２まで上達した。当然、本発明の原理は、ゴルフ練習場に採択されるべきであるが、まず、家庭用の簡単な本発明から、ゴルフ愛好家に寄与する。
【図１】
0003174691.tif 000003
【図２】
0003174691.tif 000004
【図３】
0003174691.tif 000005
【図４】
0003174691.tif 000006
【図５】
0003174691.tif 000007
【図６】
0003174691.tif 000008
【手続補正書】
【提出日】平成23年10月11日(2011.10.11)
【手続補正１】
【補正対象書類名】実用新案登録請求の範囲
【補正対象項目名】全文
【補正方法】変更
【補正の内容】
【実用新案登録請求の範囲】
【請求項１】
９０−１００ｍｍＸ９０ｍｍ、厚さ１０ｍｍの長方形の合板の一辺を、１０ｍｍ−１５ｍｍの高さに支持体でもちあげ、出来た斜面（７−１０度）の表面を人工芝で被った全斜度自在ゴルフ打球練習器
【請求項２】
ゴルフ練習板と支持体が樹脂で一体化された前記のごとき形態を特徴とする請求項１記載の全斜度自在ゴルフ打球練習器
【手続補正２】
【補正対象書類名】明細書
【補正対象項目名】全文
【補正方法】変更
【補正の内容】
【考案の詳細な説明】
【技術分野】
【０００１】本考案は、ゴルフ練習場では体験できない実地コースのあらゆる斜度を再現し、練習を可能とする装置。
【背景技術】
【０００２】  従来の方法，裝置；  ゴルフの練習場では、すべて平面が基本で、水平な位置にあるゴルフボールを打つ練習しかできなかった。しかし、実際、ゴルフ場では、第一打球以後、たとえフェアウエイをキープしても、練習場のような平坦な位置にくることは少なく、ほとんどは、前後左右いずれかの傾斜地から打たねばならない。このような状況で、アイアンをゴルフ場で練習することは実戦上、無駄になるか、むしろフォームが平面上のボールを打つ形に固定され、むしろ害になることすらある。
【先行技術】
【考案の概要】
【考案が解決しようとする課題】  そこで、実地ゴルフコースと同じような傾斜をもつ練習装置がもとめられている。【０００３】  本考案は、このような要請のもとに、傾斜をつけた人工芝被覆板上で、飛ばない柔らかなボール（例、市販スノーボールなど）を、任意の位置に置き、打球練習する装置。
【課題を解決するための手段】
【０００４】  横（９００−１０００）ｍｍｘ縦（９００−１０００）ｍｍ、厚さ約１０ｍｍの合板の上に毛足の長い人工芝をはりつける。そして、縦の一方に、１００−２００ｍｍの高さ、長さ、横幅と同じ木材、その他の枕をかませて挙上する。また、板裏の中央にも傾斜に準じた添え木を入れ、体重により板がしならないように補強する。  打球の練習は、練習者が、板上のボールの周囲を円形に移動することにより、行う。
【考案の効果】
【０００５】  本考案の辺縁部にボールを置き、練習者自身が板状を移動すれば、練習場では、不可能であった無限の斜度を再現できることが可能となった。すなわち、左足上がり、左足下がり、つま先下がり、つま先上がりをはじめとして、その中間の斜度から打つ練習を可能とする。
【考案を実施するための形態】
【０００６】  １）  使用するボールは、飛ばない、柔らかなものを用いる。  ２）  本考案は、１００Ｋｇの体重に耐えるように設計されていること。  ３）  いかなる位置に乗ろうと、練習板が、動いたり，そり返ったりしないこと。  ４）  支持体と練習版は、一体化していることが望ましい。
【産業上の利用可能性】
【０００７】  本考案は、ゴルフ場で遭遇する実戦上のあらゆる斜度、傾斜にあるボールを打つ練習を可能とする。  練習の本質、実戦の基本を自宅にて学び、応用することが可能となる。ちなみに、利用者のひとりは、５８歳からゴルフを始めたが、一般的にははじめた年齢の半分しか、ハンデイが上達しないと云われている。しかし、本発明にてアイアンを練習し、たちまち、６０歳で１００を切り、６２歳で公式ハンデイ、１８、６３歳で、１２まで上達した。当然、本考案の原理は、まず、家庭用でゴルフ愛好家に寄与する。
【図面の簡単な説明】
【０００８】
【図１】側面図  支持体を１５０ｍｍ挙上すると約１０度の勾配が得られる。
【図２】上面図  ９０ｍｍＸ１００ｍｍの板の例示で、図３−図６にゴルフコースで遭遇する可能性のある斜度を、靴型で示した。
【図３】左足上がりの練習
【図４】左足下がりの姿勢
【図５】つま先下がりの姿勢
【図６】つま先あがりの姿勢
【手続補正書】
【提出日】平成24年1月10日(2012.1.10)
【手続補正１】
【補正対象書類名】実用新案登録請求の範囲
【補正対象項目名】全文
【補正方法】変更
【補正の内容】
【実用新案登録請求の範囲】
【請求項１】
９００−１０００ｍｍＸ９００ｍｍ、厚さ１０ｍｍの長方形の合板の一辺を、１００ｍｍ−１５０ｍｍの高さに支持体でもちあげ、出来た斜面（７−１０度）の表面を人工芝で被った全斜度自在ゴルフ打球練習器
【請求項２】
９００−１０００ｍｍＸ９００ｍｍ、厚さ１０ｍｍの長方形のゴルフ練習板の一辺を、１００ｍｍ−１５０ｍｍの高さに支持体でもちあげ、出来た斜面（７−１０度）の表面を人工芝で被い、ゴルフ練習版と支持体を樹脂で一体化した、全斜度自在ゴルフ打球練習器
【手続補正２】
【補正対象書類名】明細書
【補正対象項目名】全文
【補正方法】変更
【補正の内容】
【考案の詳細な説明】
【技術分野】
【０００１】本考案は、ゴルフ練習場では体験できない実地コースのあらゆる斜度を再現し、練習を可能とする装置。
【背景技術】
【０００２】従来の方法，装置；  ゴルフの練習場では、すべて平面が基本で、水平な位置にあるゴルフボールを打つ練習しかできなかった。しかし、実際、ゴルフ場では、第一打球以後、たとえフェアウエイをキープしても、練習場のような平坦な位置にくることは少なく、ほとんどは、前後左右いずれかの傾斜地から打たねばならない。このような状況で、アイアンをゴルフ場で練習することは実戦上、無駄になるか、むしろフォームが平面上のボールを打つ形に固定され、むしろ害になることすらある。
【先行技術】
【考案の概要】
【考案が解決しようとする課題】  そこで、実地ゴルフコースと同じような傾斜をもつ練習装置がもとめられている。【０００３】  本考案は、このような要請のもとに、傾斜をつけた人工芝被覆板上で、飛ばない柔らかなボール（例、市販スノーボールなど）を、任意の位置に置き、打球練習する装置。
【課題を解決するための手段】
【０００４】  横（９００−１０００）ｍｍｘ縦（９００−１０００）ｍｍ、厚さ約１０ｍｍの合板の上に毛足の長い人工芝をはりつける。そして、縦の一方に、１００−２００ｍｍの高さ、長さ、横幅と同じ木材、その他の枕をかませて挙上する。また、板裏の中央にも傾斜に準じた添え木を入れ、体重により板がしならないように補強する。
打球の練習は、練習者が、板上のボールの周囲を円形に移動することにより、行う。
【考案の効果】
【０００５】  本考案の辺縁部にボールを置き、練習者自身が板状を移動すれば、練習場では、不可能であった無限の斜度を再現できることが可能となった。すなわち、左足上がり、左足下がり、つま先下がり、つま先上がりをはじめとして、その中間の斜度から打つ練習を可能とする。
【考案を実施するための形態】
【０００６】  １）  使用するボールは、飛ばない、柔らかなものを用いる。
２）  本考案は、１００Ｋｇの体重に耐えるように設計されていること。
３）  いかなる位置に乗ろうと、練習板が、動いたり，そり返ったりしないこと。
４）支持体と練習版は、一体化していることが望ましい。
【産業上の利用可能性】
【０００７】  本考案は、ゴルフ場で遭遇する実戦上のあらゆる斜度、傾斜にあるボールを打つ練習を可能とする。
練習の本質、実戦の基本を自宅にて学び、応用することが可能となる。ちなみに、利用者のひとりは、５８歳からゴルフを始めたが、一般的にははじめた年齢の半分しか、ハンデイが上達しないと云われている。しかし、本発明にてアイアンを練習し、たちまち、６０歳で１００を切り、６２歳で公式ハンデイ、１８、６３歳で、１２まで上達した。当然、本考案の原理は、まず、家庭用でゴルフ愛好家に寄与する。
【図面の簡単な説明】
【０００８】
【図１】側面図  支持体を１５０ｍｍ挙上すると約１０度の勾配が得られる。
【図２】上面図  ９００ｍｍＸ１０００ｍｍの板の例示で、図３−図６にゴルフコースで遭遇する可能性のある斜度を、靴型で示した。
【図３】左足上がりの練習
【図４】左足下がりの姿勢
【図５】つま先下がりの姿勢
【図６】つま先あがりの姿勢